(57)【要約】      （修正有）【課題】点灯、非点灯時の見栄えが異なる灯具を構成するレンズ及び灯具を提供する。【解決手段】灯具に用いられるレンズにおいて、少なくとも第１レンズカット及び第２レンズカットを含んでおり、前記第１レンズカット及び前記第２レンズカットは、光源からの照射光を所望の配光として拡散させるためのものであり、一方向に延びる二本のガイドカーブの間に形成されており、前記第１、第２レンズカットは、当該第１、第２レンズカットを前記一方向に直交する平面で切断した場合に、切断位置が前記第１、第２レンズカットの一端側から他端側にシフトするにつれ、前記二本のガイドカーブの間に現れる曲線が連続的に変化するレンズカットとして形成されている。【選択図】図４
2010165485.tif 000002
【特許請求の範囲】
【請求項１】
灯具に用いられるレンズにおいて、
少なくとも第１レンズカット及び第２レンズカットを含んでおり、
前記第１レンズカットは、光源からの照射光を所望の配光として拡散させるためのレンズカットであり、一方向に延びる二本のガイドカーブの間に形成されており、
前記第２レンズカットは、光源からの照射光を所望の配光として拡散させるためのレンズカットであり、一方向に延びる二本のガイドカーブの間に形成されており、
前記第１レンズカットは、当該第１レンズカットを前記一方向に直交する平面で切断した場合に、切断位置が前記第１レンズカットの一端側から他端側にシフトするにつれ、前記二本のガイドカーブの間に現れる曲線が連続的に変化するレンズカットとして形成されており、
前記第２レンズカットは、当該第２レンズカットを前記一方向に直交する平面で切断した場合に、切断位置が前記第２レンズカットの一端側から他端側にシフトするにつれ、前記二本のガイドカーブの間に現れる直線が連続的に変化するレンズカットとして形成されていることを特徴とするレンズ。
【請求項２】
前記第１レンズカットは、当該第１レンズカットを前記一方向に直交する平面で切断した場合に、切断位置が前記第１レンズカットの一端側から他端側にシフトするにつれ、前記二本のガイドカーブの間に現れる曲線の曲率が連続的に変化し、再び元の曲率に戻るレンズカットとして形成されており、
前記第２レンズカットは、当該第２レンズカットを前記一方向に直交する平面で切断した場合に、切断位置が前記第２レンズカットの一端側から他端側にシフトするにつれ、前記二本のガイドカーブの間に現れる直線の傾斜角度が連続的に変化し、再び元の傾斜角度に戻るレンズカットとして形成されていることを特徴とするレンズ。
【請求項３】
前記第１レンズカットは、凸レンズカット又は凹レンズカットであることを特徴とする請求項１又は２に記載のレンズ。
【請求項４】
平板形状の基本レンズ部をさらに備えており、
前記レンズカットは、前記基本レンズ部の一方の面に形成されていることを特徴とする請求項１から３のいずれかに記載のレンズ。
【請求項５】
請求項１から４のいずれかに記載のレンズと、
光源と、
前記光源からの照射光を前記レンズに向けて反射するリフレクタと、を備えることを特徴とする灯具。
【発明の詳細な説明】
【技術分野】
【０００１】
本発明は、レンズ及び灯具に係り、特に点灯時、非点灯時の見栄えが異なる新規見栄えの灯具を構成することが可能なレンズ及び当該レンズを用いた灯具に関する。
【背景技術】
【０００２】
従来、フルートカットと称されるかまぼこ形状のレンズカット（以下、フルートカットという）が形成されたレンズを用いた車両用灯具が知られている（例えば特許文献１参照）。
【０００３】
図１５は、特許文献１に記載の車両用灯具の構成を説明するための斜視図である。
【０００４】
図１５に示すように、特許文献１に記載の車両用灯具３００は、反射面３１０、反射面３１０からの反射光の反射方向に配置されたレンズ３２０、光源（図示せず）などを備えている。反射面３１０は例えば焦点が光源に設定された回転放物面として形成されており、レンズ３２０には複数のフルートカット３２１が並列に形成されている。
【０００５】
特許文献１に記載の車両用灯具３００においては、光源からの照射光は、反射面３１０で平行光線に変換されて反射され、レンズ３２０内部に入射し、複数のフルートカット３２１をライン状に発光させるとともに、上下方向又は左右方向に拡散されて照射されることとなる。
【先行技術文献】
【特許文献】
【０００６】
【特許文献１】特開２００１−６７９０５号公報
【発明の概要】
【発明が解決しようとする課題】
【０００７】
しかしながら、特許文献１に記載の車両用灯具３００において用いられているフルートカット３２１は単純なかまぼこ形状のレンズカットであるため、点灯時、非点灯時の見栄えが画一的になり、新規見栄えの灯具を提供することが難しいという問題がある。
【０００８】
本発明は、このような事情に鑑みてなされたものであり、点灯時、非点灯時の見栄えが異なる新規見栄えの灯具を構成することが可能なレンズ及び灯具を提供することを目的とする。
【課題を解決するための手段】
【０００９】
上記課題を解決するため、請求項１に記載の発明は、灯具に用いられるレンズにおいて、少なくとも第１レンズカット及び第２レンズカットを含んでおり、前記第１レンズカットは、光源からの照射光を所望の配光として拡散させるためのレンズカットであり、一方向に延びる二本のガイドカーブの間に形成されており、前記第２レンズカットは、光源からの照射光を所望の配光として拡散させるためのレンズカットであり、一方向に延びる二本のガイドカーブの間に形成されており、前記第１レンズカットは、当該第１レンズカットを前記一方向に直交する平面で切断した場合に、切断位置が前記第１レンズカットの一端側から他端側にシフトするにつれ、前記二本のガイドカーブの間に現れる曲線が連続的に変化するレンズカットとして形成されており、前記第２レンズカットは、当該第２レンズカットを前記一方向に直交する平面で切断した場合に、切断位置が前記第２レンズカットの一端側から他端側にシフトするにつれ、前記二本のガイドカーブの間に現れる直線が連続的に変化するレンズカットとして形成されていることを特徴とする。
【００１０】
請求項１に記載の発明によれば、第１レンズカットを前記一方向に直交する平面で切断した場合に、切断位置が前記第１レンズカットの一端側から他端側にシフトするにつれ、前記二本のガイドカーブの間に現れる曲線が連続的に変化するレンズカットとして形成されており、第２レンズカットは、当該第２レンズカットを前記一方向に直交する平面で切断した場合に、切断位置が前記第２レンズカットの一端側から他端側にシフトするにつれ、前記二本のガイドカーブの間に現れる直線が連続的に変化するレンズカットとして形成されている。すなわち、請求項１に記載の発明によれば、第１及び第２レンズカットは断面に現れる曲線又は直線が連続的に変化するレンズカットとして形成されているため、点灯時、非点灯時の見栄えが異なる新規見栄えの灯具を構成することが可能なレンズを提供することが可能となる。
【００１１】
請求項２に記載の発明は、請求項１に記載の発明において、前記第１レンズカットは、当該第１レンズカットを前記一方向に直交する平面で切断した場合に、切断位置が前記第１レンズカットの一端側から他端側にシフトするにつれ、前記二本のガイドカーブの間に現れる曲線の曲率が連続的に変化し、再び元の曲率に戻るレンズカットとして形成されており、前記第２レンズカットは、当該第２レンズカットを前記一方向に直交する平面で切断した場合に、切断位置が前記第２レンズカットの一端側から他端側にシフトするにつれ、前記二本のガイドカーブの間に現れる直線の傾斜角度が連続的に変化し、再び元の傾斜角度に戻るレンズカットとして形成されていることを特徴とする。
【００１２】
請求項２に記載の発明によれば、第１及び第２レンズカットは、断面に現れる曲線の曲率又は直線の傾斜角度が連続的に変化し、再び元の曲率又は傾斜角度に戻るレンズカットとして形成されている。このため、各断面に着目すると、第１及び第２レンズカットに到達した光源からの照射光は、断面ごとに屈折（拡散）の程度が異なることとなる。
【００１３】
しかし、レンズ全体に着目すると、各断面に現れる曲線の曲率又は直線の傾斜角度が連続的に変化し、再び元の曲率又は傾斜角度に戻るため、当該光源からの照射光は、左右方向に平均的に拡散する拡散光として照射される。このため、請求項２に記載の発明によれば、所定配光パターン（特に、車両用灯具に適した左右方向に平均的に広がる配光パターン）を形成することが可能となる。
【００１４】
また、請求項２に記載の発明によれば、第１及び第２レンズカットは断面に現れる曲線又は直線が連続的に変化し、再び元の曲率又は傾斜角度に戻るレンズカットとして形成されているため、視点位置に応じて立体感や動きを感じさせるようにレンズの見栄え（外観）を変化させることが可能となる。
【００１５】
また、請求項２に記載の発明によれば、第１及び第２レンズカットは断面に現れる曲線又は直線が連続的に変化し、再び元の曲率又は傾斜角度に戻るレンズカットとして形成されているため、視点位置に応じて当該レンズカットの中心線上にいくつもの高輝度の輝点を出現させることが可能となる（特に光源の点灯時）。すなわち、視点位置に応じてレンズの見栄え（外観）を変化させることが可能となる。
【００１６】
また、請求項２に記載の発明によれば、第１及び第２レンズカットは断面に現れる曲線又は直線が連続的に変化し、再び元の曲率又は傾斜角度に戻るレンズカットとして形成されているため、レンズに太陽光などの外光で当該第１及び第２レンズカットがきらきら輝く、クリスタル感を持たせることが可能となる（特に光源の非点灯時）。
【００１７】
また、請求項２に記載の発明によれば、第１及び第２レンズカットは断面に現れる曲線又は直線が連続的に変化し、再び元の曲率又は傾斜角度に戻るレンズカットとして形成されているため、赤色などに着色されたレンズを用いることで、当該レンズの見栄え（色の濃淡）を変化させることが可能となる。すなわち、視点位置に応じてレンズの見栄え（外観）を変化させることが可能となる。
【００１８】
以上のように、請求項２に記載の発明によれば、第１及び第２レンズカットは断面に現れる曲線又は直線が連続的に変化するレンズカットとして形成されているため、点灯時、非点灯時の見栄えが異なる新規見栄えの灯具を構成することが可能なレンズを提供することが可能となる。
【００１９】
しかも、請求項２に記載の発明によれば、第１レンズカットは、二本のガイドカーブの間に現れる曲線の曲率が連続的に変化し、再び元の曲率に戻るレンズカットとして形成されており、第２レンズカットは、二本のガイドカーブの間に現れる直線の傾斜角度が連続的に変化し、再び元の傾斜角度に戻るレンズカットとして形成されている。このため、所定配光パターン（特に、車両用灯具に適した左右方向に広がる配光パターン）を形成することが可能であり、かつ、視点位置に応じて見栄えが変化する（したがって視点位置を移動しても視認されやすい（視認性の高い））レンズ及び当該レンズを用いた灯具を提供することが可能となる。
【００２０】
請求項３に記載の発明は、請求項１又は２に記載の発明において、前記第１レンズカットは、凸レンズカット又は凹レンズカットであることを特徴とする。
【００２１】
請求項３に記載の発明によれば、点灯時、非点灯時の見栄えが異なる新規見栄えの灯具を構成することが可能なレンズを提供することが可能となる。しかも、請求項３に記載の発明によれば、所定配光パターン（特に、車両用灯具に適した左右方向に広がる配光パターン）を形成することが可能であり、かつ、視点位置に応じて見栄えが変化する（したがって視点位置を移動しても視認されやすい（視認性の高い））レンズ及び当該レンズを用いた灯具を提供することが可能となる。
【００２２】
請求項４に記載の発明は、請求項１から３のいずれかに記載の発明において、平板形状の基本レンズ部をさらに備えており、前記レンズカットは、前記基本レンズ部の一方の面に形成されていることを特徴とする。
【００２３】
請求項４に記載の発明によれば、点灯時、非点灯時の見栄えが異なる新規見栄えの灯具を構成することが可能なレンズを提供することが可能となる。しかも、請求項４に記載の発明によれば、所定配光パターン（特に、車両用灯具に適した左右方向に広がる配光パターン）を形成することが可能であり、かつ、視点位置に応じて見栄えが変化する（したがって視点位置を移動しても視認されやすい（視認性の高い））レンズ及び当該レンズを用いた灯具を提供することが可能となる。
【００２４】
請求項５に記載の発明は、請求項１から４のいずれかに記載のレンズと、光源と、前記光源からの照射光を前記レンズに向けて反射するリフレクタと、を備えることを特徴とする。
【００２５】
請求項５に記載の発明によれば、第１レンズカットを前記一方向に直交する平面で切断した場合に、切断位置が前記第１レンズカットの一端側から他端側にシフトするにつれ、前記二本のガイドカーブの間に現れる曲線が連続的に変化するレンズカットとして形成されており、第２レンズカットは、当該第２レンズカットを前記一方向に直交する平面で切断した場合に、切断位置が前記第２レンズカットの一端側から他端側にシフトするにつれ、前記二本のガイドカーブの間に現れる直線が連続的に変化するレンズカットとして形成されている。すなわち、請求項５に記載の発明によれば、第１及び第２レンズカットは断面に現れる曲線又は直線が連続的に変化するレンズカットとして形成されているため、点灯時、非点灯時の見栄えが異なる新規見栄えの灯具を構成することが可能な灯具を提供することが可能となる。
【発明の効果】
【００２６】
本発明によれば、点灯時、非点灯時の見栄えが異なる新規見栄えの灯具を構成することが可能なレンズ及び当該レンズを用いた灯具を提供することが可能となる。
【図面の簡単な説明】
【００２７】
【図１】本発明の第１実施形態であるレンズ１０を含む灯具１００の斜視図である。
【図２】図１に示した灯具の側面図である。
【図３】本発明の第１実施形態であるレンズ１０の正面図である。
【図４】本発明の第１実施形態であるレンズ１０の斜視図である。
【図５】（ａ）第１及び第２レンズ部１１、１２の斜視図、（ｂ）第１及び第２レンズ部１１、１２の正面図である。
【図６】レンズ１０を、長手方向に直交する平面で切断した場合の、切断位置（例えば、図３中ＡＡ〜ＣＣ）ごとの断面ＡＡ〜ＣＣ（及び、各断面ＡＡ〜ＣＣにおける光線追跡の結果）を説明するための断面図である。
【図７】本発明の第２実施形態であるレンズ４０を含む灯具２００の斜視図である。
【図８】本発明の第２実施形態であるレンズ４０の正面図である。
【図９】本発明の第２実施形態であるレンズ４０の斜視図である。
【図１０】本発明の第２実施形態であるレンズ４０の正面図である。
【図１１】レンズ４０を、長手方向に直交する平面で切断した場合の、切断位置（例えば、図８中ＡＡ〜ＣＣ）ごとの断面ＡＡ〜ＣＣ（及び、各断面ＡＡ〜ＣＣにおける光線追跡の結果）を説明するための断面図である。
【図１２】灯具１００、２００の変形例を説明するための斜視図である。
【図１３】各レンズカット１１ａ〜１６ａの変形例を説明するための図である。
【図１４】レンズ１０（又はレンズ４０）により形成される配光パターンを説明するための図である。
【図１５】従来の車両用灯具の構成を説明するための斜視図である。
【発明を実施するための形態】
【００２８】
以下、本発明の第１実施形態であるレンズについて図面を参照しながら説明する。
【００２９】
図１は、本発明の第１実施形態であるレンズ１０を含む灯具１００の斜視図である。図２は、灯具１００の側面図である。図３は、本発明の第１実施形態であるレンズ１０の正面図である。図４は、本発明の第１実施形態であるレンズ１０の斜視図である。
【００３０】
本実施形態の灯具１００は、ストップランプやテールランプなどの車両用灯具や車両用灯具以外の一般照明機器などに適用されるものであり、図１、図２に示すように、レンズ１０、反射面２０、光源３０などを備えている。
【００３１】
まず、レンズ１０について説明する。
【００３２】
レンズ１０は、図３、図４に示すように、全体として平板形状のレンズ体（本発明の基本レンズ部に相当）であり、複数の第１レンズ部１１及び第２レンズ部１２を含んでいる。第１レンズ部１１と第２レンズ部１２とは、並列に、交互に配置されている。
【００３３】
まず、第１レンズ部１１について説明する。
【００３４】
第１レンズ部１１は、図３〜図５に示すように、一方向（各図では上下方向を例示。以下長手方向と称す）に延びる細長形状のレンズ部であり、一方の面（図４、図５中背面）及び他方の面（図４、図５中正面）を含んでいる。第１レンズ部１１の一方の面（図４、図５中背面）は平面に形成され、他方の面（図４、図５中正面）には第１レンズカット１１ａが形成されている。第１レンズ部１１は、例えば、アクリルやポリカーボネイトなどの透明又は半透明材料を射出成型することにより一体的に形成されている。
【００３５】
第１レンズカット１１ａは、光源３０からの照射光（又は反射面２０などを用いて集光された反射光）を所望の配光として拡散させるためのレンズカットであり、図５に示すように、長手方向に延びる二本のガイドカーブＣ１、Ｃ２（図５は、両端が直線（又は略直線）で、中央が内側に湾曲した左右対称の二本のガイドカーブＣ１、Ｃ２を例示）の間に形成されている。
【００３６】
第１レンズカット１１ａについて図６を参照しながらさらに具体的に説明する。
【００３７】
図６は、レンズ１０を、長手方向に直交する平面で切断した場合の、切断位置（例えば、図３中ＡＡ〜ＣＣ）ごとの断面ＡＡ〜ＣＣ（及び、各断面ＡＡ〜ＣＣにおける光線追跡の結果）を表している。
【００３８】
図３、図６に示すように、第１レンズカット１１ａは、当該第１レンズカット１１ａを長手方向に直交する平面で切断した場合に、切断位置（例えば、図３中ＡＡ〜ＣＣ）が第１レンズカット１１ａの一端側１１ａ１から他端側１１ａ２にシフトするにつれ、二本のガイドカーブＣ１、Ｃ２の間に現れる曲線（断面ＡＡ〜ＣＣ。すなわち図６中符号１１ａで示すＲ状の凸曲線）の曲率（又はサイズ、レンズ肉厚）が連続的に変化し、再び元の曲率（又はサイズ、レンズ肉厚）に戻るレンズカットとして形成されている。
【００３９】
具体的には、第１レンズカット１１ａは、図３、図６に示すように、第１レンズ部１１の一端側１１ａ１を起点として、第１レンズ部１１の他端側１１ａ２に向かうにつれて、最大曲率（又は最大サイズ、最大レンズ肉厚）の曲線（断面ＡＡ）、中間曲率（又は中間サイズ、中間レンズ肉厚）の曲線（断面ＢＢ）、最小曲率（又は最小サイズ、最小レンズ肉厚）の曲線（断面ＣＣ）、中間曲率（又は中間サイズ、中間レンズ肉厚）の曲線、最大曲率（又は最大サイズ、最大レンズ肉厚）の曲線が現れるレンズカットとして形成されている。
【００４０】
上記構成のレンズ１０においては、一つの第１レンズカット１１ａに着目すると、当該第１レンズカット１１ａに到達した反射面２０からの反射光（平行光線）は、各断面ＡＡ〜ＣＣにおいて左右方向に拡散することとなる（図６参照）。
【００４１】
次に、第２レンズ部１２について説明する。
【００４２】
第２レンズ部１２は、図３〜図５に示すように、一方向（各図では上下方向を例示。以下長手方向と称す）に延びる細長形状のレンズ部であり、一方の面（図４、図５中背面）及び他方の面（図４、図５中正面）を含んでいる。第２レンズ部１２の一方の面（図４、図５中背面）は平面に形成され、他方の面（図４、図５中正面）には第２レンズカット１２ａが形成されている。第２レンズ部１２は、例えば、アクリルやポリカーボネイトなどの透明又は半透明材料を射出成型することにより一体的に形成されている。
【００４３】
第２レンズカット１２ａは、光源３０からの照射光（又は反射面２０などを用いて集光された反射光）を所望の配光として拡散させるためのレンズカット（プリズムカット）であり、図５に示すように、長手方向に延びる二本のガイドカーブＣ３、Ｃ４（図５は、両端が直線（又は略直線）で、中央が外側に湾曲した左右対称の二本のガイドカーブＣ３、Ｃ４を例示）の間に形成されている。
【００４４】
第２レンズカット１２ａについて図６を参照しながらさらに具体的に説明する。
【００４５】
図３、図６に示すように、第２レンズカット１２ａは、当該第２レンズカット１２ａを長手方向に直交する平面で切断した場合に、切断位置（例えば、図３中ＡＡ〜ＣＣ）が第２レンズカット１２ａの一端側１２ａ１から他端側１２ａ２にシフトするにつれ、二本のガイドカーブＣ３、Ｃ４の間に現れる直線（断面ＡＡ〜ＣＣ。すなわち図６中符号１２ａで示す各カーブＣ３、Ｃ４を通って交わる二本の直線。）の傾斜角度（又はサイズ、レンズ肉厚）が連続的に変化し、再び元の傾斜角度（又はサイズ、レンズ肉厚）に戻るレンズカットとして形成されている。
【００４６】
具体的には、第２レンズカット１２ａは、図３、図６に示すように、第２レンズ部１２の一端側１２ａ１を起点として、第２レンズ部１２の他端側１２ａ２に向かうにつれて、最大傾斜角度（又は最小サイズ、最小レンズ肉厚）の直線（断面ＡＡ）、中間傾斜角度（又は中間サイズ、中間レンズ肉厚）の直線（断面ＢＢ）、最小傾斜角度（又は最大サイズ、最大レンズ肉厚）の直線（断面ＣＣ）、中間傾斜角度（又は中間サイズ、中間レンズ肉厚）の直線、最大傾斜角度（又は最小サイズ、最小レンズ肉厚）の直線が現れるレンズカットとして形成されている。
【００４７】
上記構成のレンズ１０においては、一つの第２レンズカット１２ａに着目すると、当該第２レンズカット１２ａに到達した反射面２０からの反射光（平行光線）は、各断面ＡＡ〜ＣＣにおいて左右方向に拡散することとなる（図６参照）。
【００４８】
次に、反射面２０について説明する。
【００４９】
反射面２０は、当該反射面２０に到達した光源３０からの放射光を平行光線に変換し、レンズ１０に向けて反射するための反射面（リフレクタ）であり、光源３０の側方から光源３０の照射方向を覆う範囲に配置されている。反射面２０は、例えば、図１、図２に示すように、焦点が光源３０近傍に設定された回転放物面である。図１、図２は、左右に隣接した二つの反射面２０を多段（図１、図２では六段を例示）に配置した例である。
【００５０】
次に、光源３０について説明する。
【００５１】
光源３０は、例えば、単色又はＲＧＢ三色の一つ又は複数のＬＥＤチップをパッケージ化したＬＥＤパッケージなどのＬＥＤ光源であり、図１、図２に示すように、光軸を斜め後方に傾斜させた状態で配置されている。
【００５２】
上記構成のレンズ１０によれば、第１及び第２レンズカット１１ａ、１２ａは、断面が連続的に変化するレンズカットとして形成されている。すなわち、第１レンズカット１１ａは、二本のガイドカーブＣ１、Ｃ２の間に現れる曲線（断面ＡＡ〜ＣＣ。すなわち図６中符号１１ａで示すＲ状の凸曲線）の曲率（又はサイズ、レンズ肉厚）が連続的に変化し、再び元の曲率（又はサイズ、レンズ肉厚）に戻るレンズカットとして形成されている（図３、図６参照）。また、第２レンズカット１２ａは、二本のガイドカーブＣ３、Ｃ４の間に現れる直線（断面ＡＡ〜ＣＣ。すなわち図６中符号１２ａで示す各カーブＣ３、Ｃ４を通って交わる二本の直線。）の傾斜角度（又はサイズ、レンズ肉厚）が連続的に変化し、再び元の傾斜角度（又はサイズ、レンズ肉厚）に戻るレンズカットとして形成されている（図３、図６参照）。
【００５３】
このように、第１及び第２レンズカット１１ａ、１２ａは断面に現れる曲線の曲率（又はサイズ、レンズ肉厚）又は直線の傾斜角度（又はサイズ、レンズ肉厚）が連続的に変化し、再び元の曲率（又はサイズ、レンズ肉厚）又は傾斜角度（又はサイズ、レンズ肉厚）に戻るレンズカットとして形成されている。このため、各断面（例えば断面ＡＡ、ＣＣ）に着目すると、第１及び第２レンズカット１１ａ、１２ａに到達した光源３０からの照射光は、例えば、断面ＡＡと断面ＣＣとでは屈折（拡散）の程度が異なることとなる（図３、図６参照）。
【００５４】
しかし、レンズ１０全体に着目すると、各断面（例えば断面ＡＡ〜断面ＣＣ）に現れる曲線の曲率又は直線の傾斜角度が連続的に変化し、再び元の曲率又は傾斜角度に戻るため、当該光源３０からの照射光は、左右方向（図６中左右方向）に平均的に拡散する拡散光として照射される。このため、本実施形態によれば、所定配光パターン（特に、車両用灯具に適した左右方向に平均的に広がる配光パターン。図１５参照）を形成することが可能となる。
【００５５】
また、上記構成のレンズ１０によれば、第１及び第２レンズカット１１ａ、１２ａは断面に現れる曲線又は直線が連続的に変化し、再び元の曲率又は傾斜角度に戻るレンズカットとして形成されているため、視点位置に応じて立体感や動きを感じさせるようにレンズ１０の見栄え（外観）を変化させることが可能となる。
【００５６】
また、上記構成のレンズ１０によれば、第１及び第２レンズカット１１ａ、１２ａは断面に現れる曲線又は直線が連続的に変化し、再び元の曲率又は傾斜角度に戻るレンズカットとして形成されているため、図３に示すように、視点位置に応じて当該レンズカット１１ａの中心線（図３中一点鎖線で示す）上にいくつもの高輝度の輝点を出現させることが可能となる（特に光源３０の点灯時）。すなわち、視点位置に応じてレンズ１０の見栄え（外観）を変化させることが可能となる。
【００５７】
また、上記構成のレンズ１０によれば、第１及び第２レンズカット１１ａ、１２ａは断面に現れる曲線又は直線が連続的に変化し、再び元の曲率又は傾斜角度に戻るレンズカットとして形成されているため、レンズ１０に太陽光などの外光でレンズカット１１ａ、１２ａがきらきら輝く、クリスタル感を持たせることが可能となる（特に光源３０の非点灯時）。
【００５８】
また、上記構成のレンズ１０によれば、第１及び第２レンズカット１１ａ、１２ａは断面に現れる曲線又は直線が連続的に変化し、再び元の曲率又は傾斜角度に戻るレンズカットとして形成されているため、赤色などに着色されたレンズ１０を用いることで、当該レンズ１０の見栄え（色の濃淡）を変化させることが可能となる。すなわち、視点位置に応じてレンズ１０の見栄え（外観）を変化させることが可能となる。
【００５９】
以上説明したように、本実施形態によれば、第１及び第２レンズカット１１ａ、１２ａ（本発明の第１及び第２レンズカットに相当）は断面に現れる曲線又は直線が連続的に変化するレンズカットとして形成されているため（図６参照）、点灯時、非点灯時の見栄えが異なる新規見栄えの灯具を構成することが可能なレンズ１０及び当該レンズ１０を用いた灯具１００を提供することが可能となる。
【００６０】
さらに、本実施形態によれば、第１及び第２レンズカット１１ａ、１２ａは断面に現れる曲線又は直線が連続的に変化し、再び元の曲率又は傾斜角度に戻るレンズカットとして形成されている。このため、本実施形態によれば、所定配光パターン（特に、車両用灯具に適した左右方向に広がる配光パターン）を形成することが可能であり、かつ、視点位置に応じて見栄えが変化する（したがって視点位置を移動しても視認されやすい（視認性の高い））レンズ１０及び当該レンズ１０を用いた灯具１００を提供することが可能となる。
【００６１】
次に第２実施形態について説明する。
【００６２】
図７は、本発明の第２実施形態である灯具の部品構成図である。
【００６３】
本実施形態の灯具２００は、上記第１実施形態と同様、ストップランプやテールランプなどの車両用灯具や車両用灯具以外の一般照明機器などに適用されるものであり、図７に示すように、レンズ４０、反射面２０、光源３０などを備えている。レンズ４０以外の構成については、第１実施形態と同じであるため、以下、レンズ４０についてのみ説明する。
【００６４】
レンズ４０は、図８〜図１０に示すように、全体として平板形状のレンズ体であり、一方の面（図９中背面）は平面に形成され、他方の面（図９中正面）には複数の第３レンズカット１３ａ、第４レンズカット１４ａ、第５レンズカット１５ａ及び第６レンズカット１６ａが形成されている。各レンズカット１３ａ〜１６ａは、並列に配置されている（図８〜図１０参照）。レンズ４０は、例えば、アクリルやポリカーボネイトなどの透明又は半透明材料を射出成型することにより一体的に形成されている。
【００６５】
まず、第３レンズカット１３ａについて説明する。
【００６６】
第３レンズカット１３ａは、光源３０からの照射光（又は反射面２０などを用いて集光された反射光）を所望の配光として拡散させるためのレンズカットであり、図９、図１０に示すように、長手方向に延びる二本のガイドカーブＣ５、Ｃ６（図９、図１０は、外側に湾曲した左右対称の二本のガイドカーブＣ５、Ｃ６を例示）の間に形成されている。
【００６７】
第３レンズカット１３ａについて図１１を参照しながらさらに具体的に説明する。
【００６８】
図１１は、レンズ４０を、長手方向に直交する平面で切断した場合の、切断位置（例えば、図８中ＡＡ〜ＣＣ）ごとの断面ＡＡ〜ＣＣ（及び、各断面ＡＡ〜ＣＣにおける光線追跡の結果）を表している。
【００６９】
図８、図１１に示すように、第３レンズカット１３ａは、当該第３レンズカット１３ａを長手方向に直交する平面で切断した場合に、切断位置（例えば、図８中ＡＡ〜ＣＣ）が第３レンズカット１３ａの一端側１３ａ１から他端側１３ａ２にシフトするにつれ、二本のガイドカーブＣ５、Ｃ６の間に現れる曲線（断面ＡＡ〜ＣＣ。すなわち図１１中符号１３ａで示すＲ状の凹曲線）の曲率（又はサイズ、レンズ肉厚）が連続的に変化し、再び元の曲率（又はサイズ、レンズ肉厚）に戻るレンズカットとして形成されている。
【００７０】
具体的には、第３レンズカット１３ａは、図８、図１１に示すように、第３レンズカット１３ａの一端側１３ａ１を起点として、第３レンズカット１３ａの他端側１３ａ２に向かうにつれて、最小サイズの凹曲線（断面ＡＡ）、中間サイズの凹曲線（断面ＢＢ）、最大サイズの凹曲線（断面ＣＣ）、中間サイズの凹曲線、最小サイズの凹曲線が現れるレンズカットとして形成されている。
【００７１】
上記構成のレンズ４０においては、一つの第３レンズカット１３ａに着目すると、当該第３レンズカット１３ａに到達した反射面２０からの反射光（平行光線）は、各断面ＡＡ〜ＣＣにおいて左右方向に拡散することとなる（図１１参照）。
【００７２】
次に、第４レンズカット１４ａについて説明する。
【００７３】
第４レンズカット１４ａは、光源３０からの照射光（又は反射面２０などを用いて集光された反射光）を所望の配光として拡散させるためのレンズカットであり、図９、図１０に示すように、第３レンズカット１３ａに隣接して配置されている。第４レンズカット１４ａは、図９、図１０に示すように、長手方向に延びる二本のガイドカーブＣ７、Ｃ８（図９は、外側に湾曲した二本のガイドカーブＣ７、Ｃ８を例示）の間に形成されている。
【００７４】
第４レンズカット１４ａについて図１１を参照しながらさらに具体的に説明する。
【００７５】
図８、図１１に示すように、第４レンズカット１４ａは、当該第４レンズカット１４ａを長手方向に直交する平面で切断した場合に、切断位置（例えば、図８中ＡＡ〜ＣＣ）が第４レンズカット１４ａの一端側１４ａ１から他端側１４ａ２にシフトするにつれ、二本のガイドカーブＣ７、Ｃ８の間に現れる直線（断面ＡＡ〜ＣＣ。すなわち図１１中符号１４ａで示す直線）の傾斜角度が連続的に変化し、再び元の傾斜角度に戻るレンズカットとして形成されている。
【００７６】
具体的には、第４レンズカット１４ａは、図８、図１１に示すように、第４レンズカット１４ａの一端側１４ａ１を起点として、第４レンズカット１４ａの他端側１４ａ２に向かうにつれて、傾斜角度０°の直線（断面ＡＡ）、傾斜角度３０°の直線（断面ＢＢ）、傾斜角度４５°の直線（断面ＣＣ）・・・が現れるレンズカットとして形成されている。
【００７７】
上記構成のレンズ４０においては、一つの第４レンズカット１４ａに着目すると、当該第４レンズカット１４ａに到達した反射面２０からの反射光（平行光線）は、各断面ＡＡ〜ＣＣにおいて左右方向に拡散することとなる（図１１参照）。
【００７８】
次に、第５レンズカット１５ａについて説明する。
【００７９】
第５レンズカット１５ａは、光源３０からの照射光（又は反射面２０などを用いて集光された反射光）を所望の配光として拡散させるためのレンズカットであり、図９、図１０に示すように、第４レンズカット１４ａに隣接して配置されている。第５レンズカット１５ａは、図９、図１０に示すように、長手方向に延びる二本のガイドカーブＣ９、Ｃ１０（図１０、図１１は、外側に湾曲した二本のガイドカーブＣ９、Ｃ１０を例示）の間に形成されている。
【００８０】
第５レンズカット１５ａについて図１１を参照しながらさらに具体的に説明する。
【００８１】
図８、図１１に示すように、第５レンズカット１５ａは、当該第５レンズカット１５ａを長手方向に直交する平面で切断した場合に、切断位置（例えば、図８中ＡＡ〜ＣＣ）が第５レンズカット１５ａの一端側１５ａ１から他端側１５ａ２にシフトするにつれ、二本のガイドカーブＣ９、Ｃ１０の間に現れる直線（断面ＡＡ〜ＣＣ。すなわち図１１中符号１５ａで示す直線）の傾斜角度が連続的に変化し、再び元の傾斜角度に戻るレンズカットとして形成されている。
【００８２】
具体的には、第５レンズカット１５ａは、図８、図１１に示すように、第５レンズカット１５ａの一端側１５ａ１を起点として、第５レンズカット１５ａの他端側１５ａ２に向かうにつれて、傾斜角度４５°の直線（断面ＡＡ）、傾斜角度３０°の直線（断面ＢＢ）、傾斜角度０°の直線（断面ＣＣ）・・・が現れるレンズカットとして形成されている。
【００８３】
上記構成のレンズ１０においては、一つの第５レンズカット１５ａに着目すると、当該第５レンズカット１５ａに到達した反射面２０からの反射光（平行光線）は、各断面ＡＡ〜ＣＣにおいて左右方向に拡散することとなる（図１１参照）。
【００８４】
次に、第６レンズカット１６ａについて説明する。
【００８５】
第６レンズカット１６ａは、光源３０からの照射光（又は反射面２０などを用いて集光された反射光）を所望の配光として拡散させるためのレンズカットであり、図９、図１０に示すように、長手方向に延び、交差する二本のガイドカーブＣ１１、Ｃ１２（図１０、図１１は、左右対称の二本のガイドカーブＣ１１、Ｃ１２を例示）の間に形成されている。
【００８６】
第６レンズカット１６ａについて図１１を参照しながらさらに具体的に説明する。
【００８７】
図８、図１１に示すように、第６レンズカット１６ａは、当該第６レンズカット１６ａを長手方向に直交する平面で切断した場合に、切断位置（例えば、図８中ＡＡ〜ＣＣ）が第６レンズカット１６ａの一端側１６ａ１から他端側１６ａ２にシフトするにつれ、二本のガイドカーブＣ１１、Ｃ１２の間に現れる曲線（断面ＡＡ〜ＣＣ。すなわち図１１中符号１６ａで示すＲ状の凹曲線）の曲率（又はサイズ、レンズ肉厚）が連続的に変化し、再び元の曲率（又はサイズ、レンズ肉厚）に戻るレンズカットとして形成されている。
【００８８】
具体的には、第６レンズカット１６ａは、図８、図１１に示すように、第６レンズカット１６ａの一端側１６ａ１を起点として、第６レンズカット１６ａの他端側１６ａ２に向かうにつれて、最小サイズの凹曲線（断面ＡＡ）、中間サイズの凹曲線（断面ＢＢ）、最大サイズの凹曲線（断面ＣＣ）、中間サイズの凹曲線、最小サイズの凹曲線が現れるレンズカットとして形成されている。
【００８９】
上記構成のレンズ４０においては、一つの第６レンズカット１６ａに着目すると、当該第６レンズカット１６ａに到達した反射面２０からの反射光（平行光線）は、各断面ＡＡ〜ＣＣにおいて左右方向に拡散することとなる（図１１参照）。
【００９０】
上記構成のレンズ４０によれば、第３〜第６レンズカット１３ａ〜１６ａは、断面に現れる曲線の曲率（又はサイズ、レンズ肉厚）又は直線の傾斜角度（又はサイズ、レンズ肉厚）が連続的に変化し、再び元の曲率（又はサイズ、レンズ肉厚）又は傾斜角度（又はサイズ、レンズ肉厚）に戻るレンズカットとして形成されている。このため、各断面（例えば断面ＡＡ、ＣＣ）に着目すると、各レンズカット１３ａ〜１６ａに到達した光源３０からの照射光は、例えば、断面ＡＡと断面ＣＣとでは屈折（拡散）の程度が異なることとなる（図８、図１１参照）。
【００９１】
しかし、レンズ４０全体に着目すると、各断面（例えば断面ＡＡ〜断面ＣＣ）に現れる曲線の曲率又は直線の傾斜角度が連続的に変化し、再び元の曲率又は傾斜角度に戻るため、当該光源３０からの照射光は、左右方向（図１２中左右方向）に平均的に拡散する拡散光として照射される。このため、本実施形態によれば、所定配光パターン（特に、車両用灯具に適した左右方向に平均的に広がる配光パターン。図１４参照）を形成することが可能となる。
【００９２】
また、上記構成のレンズ４０によれば、各レンズカット１３ａ〜１６ａは断面に現れる曲線又は直線が連続的に変化し、再び元の曲率又は傾斜角度に戻るレンズカットとして形成されているため、視点位置に応じて立体感や動きを感じさせるようにレンズ４０の見栄え（外観）を変化させることが可能となる。
【００９３】
また、上記構成のレンズ４０によれば、各レンズカット１３ａ〜１６ａは断面に現れる曲線又は直線が連続的に変化し、再び元の曲率又は傾斜角度に戻るレンズカットとして形成されているため、レンズ４０に太陽光などの外光でレンズカット１３ａ〜１６ａがきらきら輝く、クリスタル感を持たせることが可能となる（特に光源３０の非点灯時）。
【００９４】
また、上記構成のレンズ４０によれば、各レンズカット１３ａ〜１６ａは断面に現れる曲線又は直線が連続的に変化し、再び元の曲率又は傾斜角度に戻るレンズカットとして形成されているため、赤色などに着色されたレンズ４０を用いることで、当該レンズ４０の見栄え（色の濃淡）を変化させることが可能となる。すなわち、視点位置に応じてレンズ４０の見栄え（外観）を変化させることが可能となる。
【００９５】
以上説明したように、本実施形態によれば、各レンズカット１３ａ〜１６ａ（本発明の第１及び第２レンズカットを含む）は断面に現れる曲線又は直線が連続的に変化するレンズカットとして形成されているため（図１１参照）、点灯時、非点灯時の見栄えが異なる新規見栄えの灯具を構成することが可能なレンズ４０及び当該レンズ４０を用いた灯具２００を提供することが可能となる。
【００９６】
さらに、本実施形態によれば、第３及び第６レンズカット１３ａ、１６ａは、断面に現れる曲線の曲率が連続的に変化し、再び元の曲率に戻るレンズカットとして形成されており、第４及び第５レンズカット１４ａ、１５ａは、断面に現れる直線の傾斜角度が連続的に変化し、再び元の傾斜角度に戻るレンズカットとして形成されている。このため、本実施形態によれば、所定配光パターン（特に、車両用灯具に適した左右方向に広がる配光パターン）を形成することが可能であり、かつ、視点位置に応じて見栄えが変化する（したがって視点位置を移動しても視認されやすい（視認性の高い））レンズ４０及び当該レンズ４０を用いた灯具２００を提供することが可能となる。
【００９７】
次に、変形例について説明する。
【００９８】
上記第１及び第２実施形態では、レンズ１０（又はレンズ４０）と、図１、図２（又は図７）に示す多段に配置した反射面２０及び光源３０を組み合わせて灯具１００（又は灯具２００）を構成した例について説明したが、本発明はこれに限定されない。例えば、図１２に示すように、レンズ１０、単一の反射面５０（例えば、焦点がバルブ光源６０に設定された回転放物面）及び白熱電球などのバルブ光源６０を組み合わせて灯具を構成してもよい。
【００９９】
また、上記第１及び第２実施形態では、各レンズカット１１ａ〜１６ａは、長手方向に延びる二本のガイドカーブＣ１〜Ｃ１２の間に形成されているように説明したが、本発明はこれに限定されない。例えば、各レンズカット１１ａ〜１６ａは、図１３に示すように、周方向に延びるリング形状又は円弧形状の二本のガイドカーブ（例えばＣ１、Ｃ２）の間に形成されていてもよい。リング形状の場合、例えば、各レンズカット１１ａ〜１６ａを同心円状に配置することが考えられる。
【０１００】
また、上記第１及び第２実施形態では、各レンズカット１１ａ〜１６ａは、一方向（各図では鉛直方向（長手方向）に延びるガイドカーブＣ１〜Ｃ１２の間に形成されているように説明したが、本発明はこれに限定されない。
【０１０１】
例えば、横長の灯具（または灯体）を構成する場合には、各レンズカット１１ａ〜１６ａは、水平方向（短手方向）に延びるガイドカーブの間に形成されていてもよい。また、各レンズカット１１ａ〜１６ａは、鉛直方向、水平方向に限らず、斜め方向に延びるガイドカーブの間に形成されていてもよい。
【０１０２】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【０１０３】
１００、２００…灯具、１０…レンズ、１１…レンズ部、１１ａ…第１レンズカット、１２…レンズ部、１２ａ…第２レンズカット、１３ａ…第３レンズカット、１４ａ…第４レンズカット、１５ａ…第５レンズカット、１６ａ…第６レンズカット、２０…反射面、３０…光源、４０…レンズ、５０…反射面、６０…バルブ光源
【図１】
2010165485.tif 000003
【図２】
2010165485.tif 000004
【図３】
2010165485.tif 000005
【図４】
2010165485.tif 000006
【図５】
2010165485.tif 000007
【図６】
2010165485.tif 000008
【図７】
2010165485.tif 000009
【図８】
2010165485.tif 000010
【図９】
2010165485.tif 000011
【図１０】
2010165485.tif 000012
【図１１】
2010165485.tif 000013
【図１２】
2010165485.tif 000014
【図１３】
2010165485.tif 000015
【図１４】
2010165485.tif 000016
【図１５】
2010165485.tif 000017